(57)【特許請求の範囲】
【請求項１】
毛髪に水分を供給するステップと、
前記水分が供給された前記毛髪を所定周波数で超音波振動させるステップと、
前記超音波振動の後または同時に前記毛髪を乾燥させるステップと、
乾燥した前記毛髪を所定の毛髪表面温度で加熱するステップと、を実施する、ヘアセット方法であって、
前記毛髪を乾燥させるステップにおいて、毛髪表面温度が８０℃以下であり、かつ、
前記加熱するステップにおいて、前記所定の毛髪表面温度が１２０℃以上かつ２００℃以下である、ヘアセット方法。
【請求項２】
前記所定の毛髪表面温度が１６０℃以上である請求項１に記載のヘアセット方法。
【請求項３】
前記所定周波数が２０ｋＨｚ以上かつ３０００ｋＨｚ以下である請求項１または２に記載のヘアセット方法。
【請求項４】
前記所定周波数が５００ｋＨｚ以上かつ３０００ｋＨｚ以下である請求項３に記載のヘアセット方法。
【請求項５】
前記所定周波数が５００ｋＨｚ以上かつ２４００ｋＨｚ以下である請求項３に記載のヘアセット方法。
【請求項６】
前記所定周波数が１０００ｋＨｚ以上かつ１７００ｋＨｚ以下である請求項３に記載のヘアセット方法。
【発明の詳細な説明】
【技術分野】
【０００１】
本発明は、毛髪を所望の形状に整える、いわゆるヘアセットする方法に関する。
【背景技術】
【０００２】
従来、毛髪をヘアセットする方法としては、ウォータセット、パーマセット、アイロンセット、等がある。ウォータセットは、毛髪に水分を供給することで、毛髪内部の水素・イオン結合を切断し、その毛髪をヘアセットして乾燥させることで、切断した水素・イオン結合を再結合させてヘアセットを固定する。
【０００３】
パーマセットでは、毛髪に所定のパーマ液を供給することで、毛髪内部の水素・イオン結合や硫黄原子同士の結合を一旦切断する。そして、所望の髪型にしたうえで毛髪の水素・イオン結合や硫黄原子同士の結合を再結合させることにより髪型を固定する。
【０００４】
アイロンセットでは、毛髪を所定温度まで加熱することにより、毛髪内部の水素・イオン結合を切断する。そして、所望の髪型にしたうえで毛髪の水素・イオン結合を再結合させて髪型を固定する。
【０００５】
しかし、上述のようなウォータセット、パーマセット、アイロンセット、等には、各々に後述するような課題がある。そこで、現在では上述のような従来のヘアセット方法とは相違したヘアセット方法も提案されている。
【０００６】
例えば、毛髪を傷めることなく効果的にセットする提案がある。その技術では、超音波領域で振動する振動体に毛髪を接触させ、振動体に毛髪を接触させた状態で毛髪に温風或いは冷風を与えて毛髪の曲げや伸ばし等のヘアセットを行う（特許文献１）。
【０００７】
また、毛髪を傷めることなく容易にヘアセットを行う提案もある。その技術では、超音波振動発生手段と、この超音波振動発生手段によって超音波領域での振動を行う振動体と、振動体からの振動が与えられる毛髪にスチームを与えるスチーム発生手段とを備えている。超音波領域で振動を行う振動体に毛髪を接触させながら、スチームを与えることで、毛髪を傷めることなく、毛髪を曲げたり伸ばしたりし易くなる（特許文献２）。
【０００８】
さらに、アイロン部に手を触れても熱くなく、毛髪にダメージを与えることなく、巻き付け動作がやりやすく、使いやすくしようとする装置の提案もある。その装置は、超音波領域の電気信号発生手段と、この発生した電気信号を超音波領域の機械的振動に変換する手段と、その機械的振動で振動する振動器体を備えている。また、その装置は、振動器体内に発熱素子が設けられており、毛髪に超音波振動を与えるとともに発熱素子からの熱も同時に与えて毛髪にカールをつける（特許文献３）。
【０００９】
また、軟化剤を塗布あるいはスプレーしてヘアを軟化処理した後に一定の振幅と周波数の振動を付与し、または前記振動と同時あるいは前後にヘアに一定の熱を付与して、ストレートパーマ、ウェーブパーマを掛けるヘアの形状処理技術の提案もある（特許文献４）。この処理技術によれば、従来のヘアの形状処理に比べ、処理後のストレート、ウェーブあるいはヘアケアーの状態が長期間保持できる。
【先行技術文献】
【特許文献】
【００１０】
【特許文献１】特開平０９−２６２１２２号公報
【特許文献２】特開平０９−２６２１２１号公報
【特許文献３】特開平０９−３０８５１６号公報
【特許文献４】特開２００１−２９９４３２号公報
【発明の概要】
【発明が解決しようとする課題】
【００１１】
しかし、本発明者が上述のような各種のヘアセット方法を調査した何れの手法も課題があることが判明した。例えば、ウォータセットは、雨天時などの高湿度下（例えば約７０％ＲＨ以上）でヘアセットが崩れる。
【００１２】
パーマセットは、パーマ液により毛髪にダメージが及び、断毛や過収縮などが発生する。アイロンセットは、高温の加熱による熱変成が毛髪に発生し、アイロンの擦過により毛髪表面にダメージが及ぶ。
【００１３】
また、詳細には後述するが、超音波を利用した従来の各種手法も、何れもヘアセット後に高湿度下でヘアセットが崩れてしまうことを、本発明者は実験により確認した。
【００１４】
本発明は上述のような課題に鑑みてなされたものであり、高湿度下でもヘアセットが崩れにくいヘアセット方法およびヘアセット装置を提供するものである。
【課題を解決するための手段】
【００１５】
本発明のヘアセット方法は毛髪に水分を供給し、前記水分が供給された前記毛髪を所定周波数で超音波振動させ、前記超音波振動の後または同時に前記毛髪を乾燥させ、乾燥した前記毛髪を所定の毛髪表面温度で加熱することを特徴とする。
【００１６】
従って、本発明のヘアセット方法では、毛髪が湿潤状態ではない通常状態では切断しにくい毛髪の水素・イオン結合を水分の供給と超音波振動による加振により毛髪内部まで切断する。そして、切断した結合を毛髪の加熱によって再結合することによりヘアセットする。その超音波振動を所定周波数で実行するとともに加熱を所定の毛髪表面温度で実行することにより、高湿度下でも崩れないヘアセットとなると本発明者らは考えている。
【００１７】
本発明のヘアセット装置は、水分が供給された毛髪を所定周波数で超音波振動させる毛髪振動手段と、前記毛髪を所定の毛髪表面温度で加熱する毛髪加熱手段と、を有する。
【００１８】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１９】
本発明のヘアセット方法では、通常状態では切断しにくい毛髪の水素・イオン結合を水分の供給と超音波振動による加振により毛髪内部まで切断し、毛髪の加熱で切断した結合を再結合することによりヘアセットする。その超音波振動が所定周波数で実行されるとともに加熱が所定の毛髪表面温度で実行されることにより、高湿度下でも崩れない耐湿性を有するヘアセットとすることができる。
【図面の簡単な説明】
【００２０】
【図１】本発明の実施の形態のヘアセット方法を示すフローチャートである。
【図２】本発明の実施の形態のヘアセット装置の外観を示す斜視図である。
【図３】ヘアセット装置の変形例の外観を示す斜視図である。
【発明を実施するための形態】
【００２１】
本発明の実施の一形態を図面を参照して以下に説明する。本実施の形態のヘアセット方法は、図１に示すように、毛髪に水分を供給し（ステップＳ１）、水分が供給された毛髪を所定周波数で超音波振動させ（ステップＳ２）、毛髪を乾燥させ（ステップＳ３）、乾燥した毛髪を所定の毛髪表面温度で加熱して（ステップＳ４）、ヘアセットが完了する。
【００２２】
ステップＳ３の乾燥工程は、ステップＳ２の超音波振動工程の後または同時の少なくとも一時点を含むタイミングで実施する。具体的には、ステップＳ２の終了後にステップＳ３を開始してもよく、またはステップＳ２の終了と同時にステップＳ３を開始してもよい。さらに、ステップＳ２の終了前にステップＳ３を開始して両ステップを重複して実施し、ステップＳ２の終了後にステップＳ３を継続して実施してもよい。
【００２３】
ここで、上述のようなヘアセット方法に利用されるヘアセット装置１００を、図２を参照して以下に説明する。本実施の形態のヘアセット装置１００は、水分が供給された毛髪を所定周波数で超音波振動させる毛髪振動部１１０と、毛髪を所定の毛髪表面温度で加熱する毛髪加熱部１２０と、を有する。
【００２４】
より具体的には、ヒンジ機構１３６により開閉自在で毛髪を挟持する一対の毛髪挟持部位１３１，１３２を有する。ヒンジ機構１３６には板バネ等の弾発機構が内蔵されており（図示せず）、毛髪挟持部位１３１，１３２を手指での把持に適正な所定角度まで弾発的に開放している。
【００２５】
一対の毛髪挟持部位１３１，１３２の少なくとも一方には毛髪振動部１１０が設置されている。また、一対の毛髪挟持部位１３１，１３２の少なくとも一方には毛髪加熱部１２０が設置されている。毛髪挟持部位１３１または１３２のうちの一方に毛髪振動部１１０および毛髪加熱部１２０の両方が設置されていてもよい。または、毛髪挟持部位１３１または１３２のうちの一方に毛髪振動部１１０が設置され、他方に毛髪加熱部１２０が設置されていてもよい。さらに、毛髪振動部１１０または毛髪加熱部１２０の一方または両方は、一対の毛髪挟持部位１３１，１３２の両方に設置されていてもよい。本実施形態では、毛髪挟持部位１３１または１３２の一方に毛髪振動部１１０と毛髪加熱部１２０の両方が設置されている場合を例示する。より具体的には、図２の下方側に示す一方の毛髪挟持部位１３２の先端部分の上面に毛髪振動部１１０と毛髪加熱部１２０とが設置されている。
【００２６】
毛髪振動部１１０には超音波振動子が内蔵されている（図示せず）。超音波振動子は、振動駆動部である圧電体とホーンとを備えている。超音波振動子は、圧電体の振動振幅を増幅させる役割を担うバックホーンをさらに備えていてもよい。本実施形態の毛髪振動部１１０は、毛髪挟持部位１３２の先端部分に二列の長方形状に形成されている。毛髪加熱部１２０にはヒータ素子が内蔵されている。本実施形態の毛髪加熱部１２０は、二列の毛髪振動部１１０の間に一列の長方形状に形成されている。
【００２７】
ここで、本実施の形態において毛髪をヘアセットするとは、毛髪を固定された髪型にすることをいう。ここで、ステップＳ３で毛髪を乾燥させながら整えられた髪型と、ステップＳ４で毛髪を加熱して固定された髪型とは、同一であってもよく、または互いに異なってもよい。すなわち、乾燥により整えた毛髪を、加熱して所望の髪型に変化させながら固定し、ヘアセットを完了してもよい。
【００２８】
これらの毛髪挟持部位１３２の毛髪振動部１１０と毛髪加熱部１２０とに対向する毛髪挟持部位１３１の先端部分の下面には平板部１３３が形成されている（図２）。平板部１３３は、毛髪振動部１１０および毛髪加熱部１２０に対向して毛髪挟持部位１３１に設けられた部材である。
【００２９】
手指で毛髪挟持部位１３１，１３２を把持して閉止することにより、その先端部分の平板部１３３で毛髪を毛髪振動部１１０および毛髪加熱部１２０に圧接させて挟持することができる（図示せず）。
【００３０】
本実施の形態では前述のようにカールした毛髪をストレートにヘアセットすることを想定しているため、上述のように毛髪振動部１１０および毛髪加熱部１２０と平板部１３３とが、それぞれ平板状に形成されている。
【００３１】
しかし、ストレートの毛髪をカール状にヘアセットする場合には、本実施形態の変形例として、毛髪支持部位を円筒状に形成してもよい。そして、かかる円筒状（凸面状）の毛髪支持部位の外周面に毛髪振動部および毛髪加熱部を設けるとよい。この場合、本実施形態の平板部１３３に対応する部位である凹面状の曲面部を、円筒状の毛髪支持部位に対面する位置および形状で形成してもよい（図示せず）。かかる変形例において、さらに、毛髪振動部および毛髪加熱部が設けられた毛髪支持部位を凹面状とし、曲面部を凸面状としてもよい。
【００３２】
また、毛髪挟持部位１３１の上面には、毛髪振動部１１０と毛髪加熱部１２０との作動を切り換える切換スイッチ１３４と、毛髪振動部１１０と毛髪加熱部１２０との作動状態を点灯表示するパイロットランプ１３５とが設置されている。
【００３３】
切換スイッチ１３４により毛髪振動部１１０と毛髪加熱部１２０とを選択的に作動させることができ、例えば、その選択的な作動状態に対応した発色でパイロットランプ１３５が点灯する。
【００３４】
毛髪振動部１１０は、高湿度下でも崩れない耐湿性を有するヘアセットとすることができる観点から２０ｋＨｚ以上の周波数で超音波振動させることが好ましい。周波数の実用的な上限値は３０００ｋＨｚである。また、毛髪表面にダメージを発生させることなく、耐湿性を有するヘアセットとすることができる観点から、周波数を５００ｋＨｚ以上かつ３０００ｋＨｚ以下とすることが好ましく、５００ｋＨｚ以上かつ２４００ｋＨｚ以下とすることがより好ましく、１０００ｋＨｚ以上かつ１７００ｋＨｚ以下にすることが更に好ましい。
【００３５】
毛髪振動部１１０は、超音波振動子の振動周波数が可変である。かかる可変周波数域は２０ｋＨｚから３０００ｋＨｚまでのうちの少なくとも一部を含む。超音波振動子の可変周波数域は、好ましくは２０ｋＨｚから３０００ｋＨｚまでの全域を包含するとよい。これにより、一対の毛髪挟持部位１３１，１３２で挟持した毛髪を２０ｋＨｚ以上かつ３０００ｋＨｚ以下の所望の周波数で超音波振動させることができる。
【００３６】
また、毛髪の表面温度は、高湿度下でも崩れない耐湿性を有するヘアセットとすることができ、また過熱による毛髪縮れを発生させない観点から、１２０℃以上かつ２００℃以下、好ましくは１６０℃以上かつ２００℃以下である。毛髪の表面温度は、例えば、放射率を適切に調整した放射温度計で測定することができる。毛髪加熱部１２０の発熱温度は、毛髪の表面温度が上記の範囲に入るように適宜調整することができる。例えば、毛髪加熱部１２０の発熱温度を１４０℃以上かつ２３０℃以下にするとよい。なお、毛髪加熱部１２０は、前述のように作業者が手指で毛髪挟持部位１３１，１３２を把持することにより、平板部１３３により毛髪が所定の圧力で圧接される。
【００３７】
上述のような構成において、本実施の形態のヘアセット装置１００を利用したヘアセット方法を以下に説明する。なお、本実施の形態ではカールした毛髪をストレートにヘアセットする場合を例示する。
【００３８】
まず、スプレーや水浴などにより、図１に示すように、毛髪に充分な水分を供給する（ステップＳ１）。ステップＳ１により毛髪の水素・イオン結合がある程度切断されると考えられる。
【００３９】
このような状態で、ヘアセット装置１００の毛髪振動部１１０を作動させ、この毛髪振動部１１０と平板部１３３とで湿潤な毛髪の根本部分を所定の圧力で挟持し、毛先部分までスライド移動させる。これで水分が供給された毛髪に超音波振動が付与されて毛髪の水素・イオン結合が切断されるので、例えば、この動作を三回などの所定回数まで繰り返すことで、カールした毛髪がストレート形状に整えられる（ステップＳ２）。超音波振動を付与する際に必要に応じて、さらに水分を毛髪に供給してもよい。ステップＳ２により、毛髪に付与された超音波振動によって当該毛髪の内部まで水分が浸透して毛髪の水素・イオン結合の切断が促進されるものと考えられる。
【００４０】
つぎに、ヘアセット装置１００を停止させ、ストレート形状に整えられた毛髪を一般的なヘアドライヤ（図示せず）やタオルなどにより所定の湿潤状態まで乾燥させる（ステップＳ３）。ここで、本明細書で乾燥とは、後述の毛髪加熱時における毛髪表面温度より低い温度での乾燥を指し、例えば毛髪表面温度が８０℃以下（常温を含む）で乾燥することを意味する。なお、この乾燥は、例えば、毛髪に最初に供給した水分がある程度蒸発したと認められる状態まで実行される。ステップＳ３による乾燥後の毛髪の水分量は特に限定されないが、ステップＳ１による水分の供給前の水分量と同程度まで乾燥させてもよい。ステップＳ３を行うことにより、ステップＳ４の毛髪加熱による水分蒸発に伴う毛髪のダメージ（例えば毛髪表面のたんぱく質の破壊）の発生を防止することができる。
【００４１】
つぎに、毛髪が乾燥したら、ヘアセット装置１００の毛髪加熱部１２０を作動させ、この毛髪加熱部１２０と平板部１３３とで乾燥した毛髪の根本部分を所定の圧力で挟持し、毛先部分までスライド移動させる（ステップＳ４）。毛髪加熱部１２０はヘアアイロンとして機能する。ステップＳ３で乾燥した毛髪が加熱および加圧によりストレート形状にヘアセットされる。なお、この動作も必要により所定回数まで繰り返してもよい。
【００４２】
本実施の形態のヘアセット装置１００を利用したヘアセット方法では、水分の供給と超音波振動により切断された毛髪の水素・イオン結合が加熱により再結合されてヘアセットされる。その超音波振動が所定周波数で実行されるとともに加熱が所定の毛髪表面温度で実行されることにより、高湿度下でも崩れないヘアセットとすることができる。
【００４３】
なお、本発明は本実施の形態に限定されるものではなく、その要旨を逸脱しない範囲で各種の変形を許容する。例えば、上記形態ではヘアセット装置１００で水分を供給した毛髪に超音波振動を付与した毛髪を、ヘアドライヤで温風乾燥させてから、ヘアセット装置１００で加熱することを例示した。
【００４４】
しかし、後述する実施例で説明するように、ステップＳ２では、水分を供給した毛髪をある程度タオルドライして毛髪を濡れた状態から湿った状態に半乾燥させてから超音波振動を付与しても良い。また、ステップＳ２では、毛髪が十分に乾燥するまで、超音波振動により水分子を励振させて毛髪から除去してもよい。つまり本発明では、毛髪が濡れていたり、湿っていたりしている状態で超音波振動を付与すれば良く、超音波振動付与を終了する時の毛髪状態は、湿潤していても乾燥していても良い。
【００４５】
図３は、本実施形態の変形例にかかるヘアセット装置２００の外観を示す斜視図である。同図に例示するヘアセット装置２００のように、毛髪振動部１１０と毛髪加熱部１２０との間隙に、温風の吐出口として毛髪乾燥部１４０を形成してもよい。この場合、ヘアセット装置２００で、毛髪の超音波振動と乾燥と加熱とを実行することができる。毛髪乾燥部１４０から吐出される温風の温度は、毛髪加熱部１２０で加熱される毛髪の表面温度よりも低温である。
【００４６】
さらに、このようなヘアセット装置２００では、毛髪振動部１１０と毛髪加熱部１２０と毛髪乾燥部１４０とを切り換えて使用することのほか、毛髪振動部１１０、毛髪加熱部１２０および毛髪乾燥部１４０を同時に作動させて使用してもよい。これにより、毛髪を挟持した毛髪挟持部位１３１，１３２を、当該毛髪の長さ方向（好適には毛先方向）にスライド移動させるだけで、この毛髪を超音波振動させ、ついで乾燥させ、その後に加熱させるという一連の動作を一度に実行することができる。
【００４７】
また、本変形例のヘアセット装置２００は、毛髪加熱部１２０を中心として毛髪乾燥部１４０と毛髪振動部１１０が毛髪挟持部位１３２の両側に対称に設置されている。このため、使用者は右手または左手の任意の手でヘアセット装置２００を操作することができる。すなわち、毛髪を把持した毛髪挟持部位１３１，１３２を左右どちらの手で把持したとしても、ヘアセット装置２００を毛先方向に滑らせることで、根本側に位置する毛髪振動部１１０が毛髪の一部領域をまず超音波振動させる。ついで、毛髪乾燥部１４０が当該領域を乾燥させ、さらに毛髪加熱部１２０が当該領域を加熱および加圧してヘアセットする。これにより、本変形例のヘアセット装置２００によれば、使用者の利き手によらず本発明のヘアセット方法が実現される。このため、本変形例のヘアセット装置２００においては、毛髪加熱部１２０に対して根本側に位置する毛髪振動部１１０および毛髪乾燥部１４０を作動させ、反対に毛先側に位置する毛髪振動部１１０および毛髪乾燥部１４０を停止してもよい。したがって、本変形例のヘアセット装置２００は、一対の毛髪振動部１１０および毛髪乾燥部１４０が毛髪加熱部１２０を中心に対称に設置されているとともに、隣接する二組の毛髪振動部１１０および毛髪乾燥部１４０のうちの一方が選択的に作動または停止させるよう切り替え可能であることが好ましい。
【００４８】
また、本変形例のヘアセット装置２００においては、一対の毛髪挟持部位１３１，１３２の一方（例えば毛髪挟持部位１３２）に対して、毛髪振動部１１０、毛髪加熱部１２０および毛髪乾燥部１４０が設置されている。このため、毛髪振動部１１０による毛髪の加振と、毛髪乾燥部１４０による毛髪の乾燥と、毛髪加熱部１２０による毛髪の加熱とが、毛髪に対して共通の側から適用される。よって、所定の厚さの毛髪の束を毛髪挟持部位１３１，１３２で挟持した場合であっても、かかる毛髪を良好にヘアセットすることができる。なぜならば、毛髪挟持部位１３２に接する毛髪に対して毛髪振動部１１０による超音波振動、毛髪乾燥部１４０による乾燥、および毛髪加熱部１２０による加熱が行われ、当該毛髪における水素・イオン結合の切断および再結合が確実に行われるためである。このため、ヘアセット方法を繰り返すことで、ヘアセットしたい毛髪の全体において水素・イオン結合が良好に切断および再結合されることとなる。
【００４９】
また、上記形態ではヘアセット装置１００または２００を利用したヘアセット方法を例示した。しかし、このようなヘアセット装置１００または２００を使用することなく、一般的なヘアドライヤやヘアアイロンを使用して本発明のヘアセット方法を行ってもよい。この場合、ステップＳ４では、ヘアアイロンに対して毛髪を加圧することなく当接させて当該毛髪を加熱してもよい。
【００５０】
また、当然ながら、上述した実施の形態および変形例は、その内容が相反しない範囲で組み合わせることができる。また、上述した実施の形態および変形例では、各部の構造などを具体的に説明したが、その構造などは本願発明を満足する範囲で各種に変更することができる。
【００５１】
［実施例１］
ここで本発明者による実験結果を第一の実施例として、表１を参照して以下に説明する。実験対象として、日本人の強クセ毛の毛髪からなる一房の毛束（トレス）を用意した（図示せず）。トレスを構成する毛髪は、カール直径が３０〜６０ｍｍであり、全長約３０ｃｍである。
【００５２】
そして、表１に示すように、比較例１−０から１−３、および実施例１−１から１−３の処理条件で、それぞれヘアセットを実施した。
【００５３】
【表１】
0005921911.tif 000002
【００５４】
比較例１−０では、水分を供給しない乾燥状態の毛髪に超音波振動を印加した。その状態で処理終了としたケースｉのほか、超音波振動の後に、アイロンで毛髪の表面温度が８０℃から２００℃のいずれかとなるように加熱工程を行った（ケースｉｉ〜ｖ）。アイロンは、衣服用の電気式アイロンを使用した。毛髪表面温度は放射温度計（共立電気計器株式会社ＫＥＷ５５１５，放射率０．９）を用いて測定した。
【００５５】
実施例１−１および比較例１−１では、水分を供給した毛髪をタオルドライ（表１の『ＴＤ』）してから、超音波振動を印加した。ヘアドライヤによるブロー乾燥を行った。その際に毛髪表面温度が８０℃を超えないように注意した。その後、実施例１−１では、ブロー乾燥時よりも高い温度となるようにアイロンで加熱した（ケースｉ〜ｉｖ）。
比較例１−１では、ブロー乾燥をもって処理終了としたケースｉと、ブロー乾燥時と同等の８０℃の毛髪表面温度となるようにアイロンと接触させたケースｉｉと、を行った。
【００５６】
実施例１−２および比較例１−２では、水分を供給した毛髪をタオルドライしてから、毛髪が乾燥するまで超音波を印加した。その後、実施例１−２では、８０℃を超える高い温度となるようにアイロンで加熱した（ケースｉ〜ｉｖ）。比較例１−２では、超音波の印加による乾燥をもって処理終了としたケースｉと、ブロー乾燥時と同等の８０℃の毛髪表面温度となるようにアイロンと接触させたケースｉｉと、を行った。
【００５７】
ここで、表１の水浴比とは、乾燥状態の毛髪と、当該毛髪に供給される水と、の質量比のことである。例えば、『水浴比；１：０．２』とは、毛髪の質量１に対して、供給される水分の質量が０．２であることを示す。また、例えば実施例１−２のケースｉにおける１２０℃等の温度表示は、毛髪表面温度を示している。
【００５８】
タオルドライでは、濡れた状態の毛髪をタオルで挟み、湿った状態（水浴比１：０．２）となるまで水分を除去した。比較例１−１と１−３、および実施例１−１と１−３において、超音波を印加した後の乾燥は、ヘアドライヤによるブロー乾燥を行った。その際に毛髪表面温度が８０℃を超えないようにした。
【００５９】
なお、超音波振動を印加する超音波振動子は、タムラ製作所製の圧電体ＴＢＬ１５０７を使用し、アルミニウム製のホーンおよびバックホーンを用いた。そして、超音波振動子の発振周波数を５０ｋＨｚ、振動振幅を１０μｍｐ−ｐ、超音波出力を４Ｗとし、振動方向が毛髪に対して垂直方向になるように超音波振動を印加した。具体的には、上記の毛髪（トレス）の結束された根本部分に超音波振動子を接触させて、２ｃｍ／秒の速度で、これを毛髪の毛先方向に向かって移動させた。これを３回繰り返して、トレス全体に超音波振動を３回付与した。
【００６０】
加熱工程では、アイロンを使用してトレスの根本部分の１箇所を３秒間に亘って、所定の毛髪表面温度で加熱した。プレス圧は、アイロンの自重とした。次いで、アイロンの位置を毛先方向に１ｃｍずつ、ずらして、同条件でトレス全体を加熱した。
【００６１】
実施例１−３および比較例１−３では、ＴＤを行わず、また十分な量の水に毛髪を浸した状態で超音波振動を印加した（水浴比；１：１０００）点を除き、実施例１−２および比較例１−２と共通とした。
【００６２】
（耐湿性評価）
上記の実施例および比較例について、２０℃かつ５０％ＲＨ雰囲気下で２４時間放置した後の毛髪形状を基準として、２０℃かつ９９％ＲＨの高湿度雰囲気下に１時間放置した後のヘアセットの崩れの有無に基づいて耐湿性を評価した。そして、２０℃、９９％ＲＨの高湿度下に１時間放置した後で、毛髪の中間部分（毛髪先端から１２〜１３ｃｍの部分）と毛先部分（毛髪先端〜６ｃｍの部分）との両方でヘアセットが維持したものを○、中間部分ではヘアセットが維持したが毛先部分でヘアセットが崩れたものを△、中間部分と毛先部分の両方でヘアセットが崩れたものを×、と評価した。結果は上記の表１のとおりである。
【００６３】
表１に示すように、毛髪に水分を供給しない比較例１−０のケースｉ〜ｖは、超音波振動の印加後の加熱の有無およびその温度によらず、いずれも×評価となった。
【００６４】
比較例１−１および実施例１−１として、水分を供給した毛髪をタオルドライしてから超音波振動を印加した場合は、その後の毛髪表面温度により×と△と○の評価結果が発生した。具体的には、比較例１−１として毛髪表面温度が８０℃以下では×評価となった。実施例１−１として、１２０℃のケースｉが△評価、１６０〜２００℃のケースｉｉ〜ｉｖが○評価となった。なお、毛髪表面温度が２２０℃以上では、何れの場合でも毛髪に縮れが発生した。
【００６５】
比較例１−２および実施例１−２として、水分を供給した毛髪をタオルドライしてから毛髪が乾燥するまで超音波振動を印加した。この場合も、比較例１−２として、毛髪表面温度が８０℃以下では×評価となり、実施例１−２として、１２０℃のケースｉが△評価、１６０〜２００℃のケースｉｉ〜ｉｖが○評価となった。
【００６６】
比較例１−３および実施例１−３として、毛髪に対して水中で超音波振動を印加した。この場合も、比較例１−３として、毛髪表面温度が８０℃以下では×評価となり、実施例１−３として、１２０℃のケースｉで△評価、１６０〜２００℃のケースｉｉ〜ｉｖで○評価となった。
【００６７】
以上の比較例１−０から１−３および実施例１−１から１−３の実験結果から、水分を供給した毛髪を超音波振動させ、この超音波振動の後または同時に毛髪を乾燥させてから、毛髪上面温度を１２０℃以上かつ２００℃以下、より好ましくは１６０℃以上かつ２００℃以下で加熱すると、毛髪全体の耐湿性が向上することが確認された。
【００６８】
［実施例２］
さらに、本発明者は、実施例２として、水分を供給した毛髪に印加する超音波振動の周波数を種々に変化させる実験を行った。
【００６９】
実験には、キンキーヘア（Ｋｉｎｋｙ  Ｈａｉｒ）、日本人弱クセ毛、日本人強クセ毛のトレスを用いた。トレスの全長は約３０ｃｍである。キンキーヘアのトレスには、カールの直径が４０ｍｍ以下のコーカシアンの毛髪を用いた。日本人弱クセ毛のトレスには、カールの直径が６０ｍｍ以上である日本人の毛髪を用いた。日本人強クセ毛のトレスには、実施例１と同様、カールの直径が３０〜６０ｍｍである日本人の毛髪を用いた。
【００７０】
実施例２−１（ａ）、（ｂ）および実施例２−２（ａ）、（ｂ）ともに処理条件は、上記の実施例１−２のケースｉｉと共通とした。すなわち、水分を供給した毛髪をタオルドライしてから、毛髪が乾燥するまで超音波振動を印加した。超音波を印加する際の水浴比は１：０．２とした。その後、アイロンで毛髪表面温度を１６０℃に加熱した。超音波振動の印加方法、およびアイロンによる加熱方法も実施例１−２のケースｉｉと共通とした。
【００７１】
超音波振動を印加する超音波振動子には、周波数２０〜７０ｋＨｚの印加には上記のタムラ製作所製の圧電体ＴＢＬ１５０７を使用した。そして、周波数５００〜３０００ｋＨｚの印加には、富士セラミックス社製の圧電体Ｃ−２１３を使用した。具体的には、この圧電体ＴＢＬ１５０７の厚みを切削して周波数調整を行った。例えば、圧電体の厚みを４ｍｍに切削して周波数を５００ｋＨｚとし、圧電体の厚みを２ｍｍに切削して周波数を１０００ｋＨｚとし、圧電体の厚みを１ｍｍに切削して周波数を２４００ｋＨｚとした。なお、振動振幅は、５００ｋＨｚで０．２４μｍｐ−ｐ、１０００ｋＨｚで０．０５７μｍｐ−ｐ、１７００ｋＨｚで０．０２３μｍｐ−ｐ、２４００ｋＨｚで０．０１１μｍｐ−ｐ、３０００ｋＨｚで０．００４８μｍｐ−ｐとした。かかる条件で、振動方向を毛髪に対して垂直方向とし、超音波出力を４Ｗとして超音波振動を毛髪に印加した。
【００７２】
表２〜表５は、実施例２−１（ａ）〜２−２（ｂ）の結果を示している。表中、『−』は未実施であることを意味している。実施例２−１（ａ）および２−１（ｂ）では、２０℃かつ５０％ＲＨ雰囲気下で２４時間放置した前後でのヘアセットの崩れの有無に基づいて耐湿性評価を行った。実施例２−２（ａ）および２−２（ｂ）では、２０℃かつ９９％ＲＨ雰囲気下で１時間放置した前後でのヘアセットの崩れの有無に基づいて、高湿度下での耐湿性評価を行った。
【００７３】
さらに、実施例２−１（ａ）〜２−２（ｂ）では、日本人毛髪に対して、毛髪研究者３名が光学顕微鏡を用いて枝毛の発生やキューティクルの剥がれを確認することでダメージ発生評価を行った。ダメージの発生を確認できなかったものを○、ダメージを確認したものを×と評価した。
【００７４】
実施例２−１（ａ）では、キンキーヘア、日本人弱クセ毛および日本人強クセ毛に対して、周波数２０〜７０ｋＨｚの超音波を付与した。表２に示すように、周波数が２０〜７０ｋＨｚで耐湿性が○となった。ただし、日本人毛髪に関してダメージの発生が確認された。
【００７５】
【表２】
0005921911.tif 000003
【００７６】
実施例２−１（ｂ）は、周波数５００〜３０００ｋＨｚの超音波振動を印加した点を除き実施例２−１（ａ）と共通の条件とした。表３に示すように、周波数が５００〜３０００ｋＨｚで耐湿性が○となった。また、日本人毛髪に関してダメージの発生が確認されなかった。
【００７７】
【表３】
0005921911.tif 000004
【００７８】
実施例２−２（ａ）では、日本人弱クセ毛に対して、周波数２０〜５０ｋＨｚの超音波振動を印加した。表４に示すように、高湿度下に１時間放置した場合でもヘアセットに崩れは見られず耐湿性が○評価となった。一方、毛髪のダメージの発生が確認された。
【００７９】
【表４】
0005921911.tif 000005
【００８０】
実施例２−２（ｂ）は、日本人弱クセ毛に対して、周波数５００〜２４００ｋＨｚの超音波を印加した点を除き、実施例２−２（ａ）と共通の条件とした。表５に示すように、耐湿性がいずれも○評価となった。また、毛髪のダメージの発生は確認されなかった。
【００８１】
【表５】
0005921911.tif 000006
【００８２】
以上の実施例２−１（ａ）および２−１（ｂ）より、２０ｋＨｚ以上かつ３０００ｋＨｚ以下の周波数の超音波振動を印加することでヘアセットの耐湿性が良好であることが確認された。実施例２−１（ｂ）より、５００ｋＨｚ以上かつ３０００ｋＨｚ以下の周波数とすることで、日本人弱クセ毛の場合にヘアセットの耐湿性が良好であるのみならず毛髪のダメージが抑えられることが分かった。さらに、実施例２−２（ｂ）より、５００ｋＨｚ以上かつ２４００ｋＨｚ以下の周波数の場合に、高湿度下でもヘアセットが維持できるとともに毛髪のダメージが抑えられることが分かった。また、１０００ｋＨｚ以上かつ１７００ｋＨｚ以下の周波数の場合に、キンキーヘアのヘアセットに関しても耐湿性が良好であることが確認された。
【００８３】
上記の結果を考察する。低周波数２０〜７０ｋＨｚにおいてはキャビテーションによって生じる毛髪の傷が確認されたことから、水素・イオン結合や硫黄原子同士の結合が良好に切断されていると考えられる。これは、キャビテーションの作用によって洗浄効果を出す一般的な超音波洗浄器の印加周波数が２０〜５０ｋＨｚ程度に設定されている点からも推測される。従って、毛髪にダメージが確認されたものの、耐湿性の優れたヘアセットを得ることができたと考えられる。
【００８４】
一方、超音波振動の周波数を５００〜３０００ｋＨｚとした場合は、毛髪のダメージも確認されず、かつヘアセットの耐湿性も良好であった。その理由としては、高周波数の場合はキャビテーションが起きにくく、また毛髪に印加される加速度が高くなって毛髪内部への水分の浸透性が増すことが考えられる。このため、毛髪にダメージが確認されず、耐湿性の優れたヘアセットを得ることができたものと考えられる。
【符号の説明】
【００８５】
１００，２００：ヘアセット装置、１１０：毛髪振動部、１２０：毛髪加熱部、１３１，１３２：毛髪挟持部位、１３３：平板部、１３４：切換スイッチ、１３５：パイロットランプ、１３６：ヒンジ機構、１４０：毛髪乾燥部
【図１】
0005921911.tif 000007
【図２】
0005921911.tif 000008
【図３】
0005921911.tif 000009